(57)【要約】      （修正有）【課題】トイレトレーニングを行う幼児の手の届くすぐ近くに置くことができ、しかも必要以上に引き出したトイレットペーパーを幼児でも容易に巻き戻すことができるトイレットペーパーケースを提供する。【解決手段】トイレットペーパーＰをトイレットペーパーケース１から引き出し過ぎてしまった場合には、支持棒４１の丸穴３３から突出している部分を持ってトイレットペーパーロールと共に回転させることで巻き戻すことができる。支持棒４１の４つの面４１ａ、４１ｂ、４１ｃ、４１ｄには展開方向への弾性力が生じており、この弾性力によって面４１ａの先端部が軸芯Ｓの内周面に圧接し、この圧接力が支持棒４１の角部を軸芯Ｓの内周面に圧接させる力としても働く。従って、支持棒４１が軸芯Ｓに固定され、支持棒４１を回せばトイレットペーパーロールを回すことができる。【選択図】図１３
0003204574.tif 000002
【実用新案登録請求の範囲】
【請求項１】
上面開口を有する箱状のケース本体と、前記ケース本体の互いに対向する一対の側板の上端縁から下方へ向かって延び、互いに対向して形成された支持棒用切欠きと、前記ケース本体の少なくとも上面開口を覆う開口カバー部と前記一対の側板の外面を覆う側板カバー部を有するカバーと、前記一対の側面カバー部に形成され前記一対の支持棒用切欠きの一部と重なる丸穴と、前記ケース本体に収容されるトイレットペーパーの軸芯に通されて、両端部が前記一対の支持棒用切欠きと前記丸穴を貫通して両端部が前記一対の側板から突出する支持棒とを有しており、厚紙によって構成されるトイレットペーパーケースであって、前記支持棒は平板を折り曲げて、折り曲げ線を介する４つ以上の面が形成され、前記４つ以上の面のうち前端側の一面と後端側の一面どうしが重なる多角筒状を為しており、前記支持棒が平板に戻ろうとする力によって支持棒の角部が前記軸芯の内周面に圧接するものであることを特徴とするトイレットペーパーケース。
【請求項２】
請求項１に記載したトイレットペーパーケースにおいて、支持棒は三角筒状であることを特徴とするトイレットペーパーケース。
【請求項３】
請求項１または２に記載したトイレットペーパーケースにおいて、カバーの丸穴の縁の一部に連続し、周方向へ延びるロール残量確認穴が形成されていることを特徴とするトイレットペーパーケース。
【請求項４】
請求項１から３のいずれかに記載したトイレットペーパーケースにおいて、ケース本体の上面開口の前方側の縁には前方へ突出する本体側突出片が設けられ、カバーには前記カバーによって前記上面開口を覆った状態で、前記本体側突出片と重なるカバー側突出片が設けられ、前記本体側突出片と前記カバー側突出片とによって、トイレットペーパーロールから引き出されたトイレットペーパーの先端部が挟持されることを特徴とするトイレットペーパーケース。
【請求項５】
請求項１から４のいずれかに記載したトイレットペーパーケースにおいて、カバーの後方側の縁には引出用切欠きが形成され、ケース本体には前記引出用切欠きから上端部を突出させた状態で平板状の表示部が備えられていることを特徴とするトイレットペーパーケース。
【考案の詳細な説明】
【技術分野】
【０００１】
本考案はトイレットペーパーケースに係り、特に幼児のトイレトレーニングに適したトイレットペーパーケースに関するものである。
【背景技術】
【０００２】
幼児が一定年齢になるとトイレトレーニングを行い、これに合わせてトイレットペーパーの使い方を覚えさせる。
トイレットペーパーホルダには特許文献１に記載されたものがある。このトイレットペーパーホルダはトイレ内の壁面に取付けられており、トイレットペーパーが一対の側板間に支持棒により回転自在に支持されている。
トイレトレーニングに合わせて幼児にトイレットペーパーの使い方を覚えさせるためには、幼児自身にトイレットペーパーホルダに支持されたトイレットペーパーを引き出させるようにすることが望ましい。
【先行技術文献】
【特許文献】
【０００３】
【特許文献１】特開２０１２−３００４１号公報
【考案の概要】
【考案が解決しようとする課題】
【０００４】
しかしながら、上記従来のトイレットペーパーホルダはトイレ内の壁面に取り付けられているため、幼児の体格では手が届きにくく、トイレットペーパーを上手く引き出すことができないおそれがある。
また、幼児が必要以上の長さのトイレットペーパーを引き出した場合でも、支持棒の両端部が一対の側板によって覆われているので、支持棒を持って回すことができない。このためトイレットペーパーロールそのものを持ってトイレットペーパーを巻き戻すしかなく、幼児には不可能な作業である。
本考案は上記従来の問題点に着目して為されたものであり、トイレトレーニングを行う幼児の手の届くすぐ近くに置くことができ、しかも必要以上に引き出したトイレットペーパーを幼児でも容易に巻き戻すことができるトイレットペーパーケースの提供を、その目的とする。
【課題を解決するための手段】
【０００５】
本考案は上記課題を解決するためになされたものであり、請求項１の考案は、上面開口を有する箱状のケース本体と、前記ケース本体の互いに対向する一対の側板の上端縁から下方へ向かって延び、互いに対向して形成された支持棒用切欠きと、前記ケース本体の少なくとも上面開口を覆う開口カバー部と前記一対の側板の外面を覆う側板カバー部を有するカバーと、前記一対の側面カバー部に形成され前記一対の支持棒用切欠きの一部と重なる丸穴と、前記ケース本体に収容されるトイレットペーパーの軸芯に通されて、両端部が前記一対の支持棒用切欠きと前記丸穴を貫通して両端部が前記一対の側板から突出する支持棒とを有しており、厚紙によって構成されるトイレットペーパーケースであって、前記支持棒は平板を折り曲げて、折り曲げ線を介する４つ以上の面が形成され、前記４つ以上の面のうち前端側の一面と後端側の一面どうしが重なる多角筒状を為しており、前記支持棒が平板に戻ろうとする力によって支持棒の角部が前記軸芯の内周面に圧接するものであることを特徴とするトイレットペーパーケースである。
【０００６】
請求項２の考案は、請求項１に記載したトイレットペーパーケースにおいて、支持棒は三角筒状であることを特徴とするトイレットペーパーケースである。
【０００７】
請求項３の考案は、請求項１または２に記載したトイレットペーパーケースにおいて、カバーの丸穴の縁の一部に連続し、周方向へ延びるロール残量確認穴が形成されていることを特徴とするトイレットペーパーケースである。
【０００８】
請求項４の考案は、請求項１から３のいずれかに記載したトイレットペーパーケースにおいて、ケース本体の上面開口の前方側の縁には前方へ突出する本体側突出片が設けられ、カバーには前記カバーによって前記上面開口を覆った状態で、前記本体側突出片と重なるカバー側突出片が設けられ、前記本体側突出片と前記カバー側突出片とによって、トイレットペーパーロールから引き出されたトイレットペーパーの先端部が挟持されることを特徴とするトイレットペーパーケースである。
【０００９】
請求項５の考案は、請求項１から４のいずれかに記載したトイレットペーパーケースにおいて、カバーの後方側の縁には引出用切欠きが形成され、ケース本体には前記引出用切欠きから上端部を突出させた状態で平板状の表示部が備えられていることを特徴とするトイレットペーパーケースである。
【考案の効果】
【００１０】
本考案のトイレットペーパーケースでは、トイレトレーニングを行う幼児の手の届くすぐ近くに置くことができる。しかも必要以上に引き出したトイレットペーパーを幼児でも容易に巻き戻すことができる。
【図面の簡単な説明】
【００１１】
【図１】本考案の実施の形態に係るトイレットペーパーケースの斜視図である。
【図２】図１のトイレットペーパーケースのケース本体と表示部の斜視図である。
【図３】図１のトイレットペーパーケースのカバー、支持棒及び支持棒に保持されるトイレットペーパーロールの斜視図である。
【図４】図１のトイレットペーパーケースのケース本体の底面図である。
【図５】図４のケース本体の底部を内側から見た図である。
【図６】図４のケース本体を畳む途中の底面図である。
【図７】図４のケース本体を畳んだ状態の底面図である。
【図８】図４のケース本体を畳んだ状態の左側面図である。
【図９】図４のケース本体を畳んだ状態の右側面図である。
【図１０】図１のトイレットペーパーケースのカバーの展開図である。
【図１１】図１のトイレットペーパーケースの支持棒の展開図である。
【図１２】図１のトイレットペーパーケースの使用方法を説明するための左側面図である。
【図１３】図１のトイレットペーパーケースの使用方法を説明するための左側面図である。
【考案を実施するための形態】
【００１２】
本考案の実施の形態に係るトイレットペーパーケース１を図面にしたがって説明する。
符号３は箱状のケース本体を示し、このケース本体３は上面開口５を有している。ケース本体３の互いに対向する一対の側板７、９には支持棒用切欠き１１、１３が互いに対向して形成されている。支持棒用切欠き１１、１３は側板７、９の上端縁から下方へ向かって延びており、支持棒用切欠き１１、１３の下端部は円弧状に形成されている。
【００１３】
また、ケース本体３の上面開口５の前方側の縁には前方へ折り曲げられて突出する本体側突出片１５が設けられ、この本体側突出片１５の中心部には略半円形の切欠き１７が形成されている。
ケース本体３の上面開口５の後方側の縁には前方へ折り曲げられて上面開口５へ突出する支持片１８が設けられている。
【００１４】
本体ケース３の底部１９は略対角線に沿って二分割された構成部２１、２３から成り、構成部２１、２３は係合片２１ａ、２３ａを有している。係合片２１ａ、２３ａの底部１９の中心側の端部には係合切欠き２１ｂ、２３ｂが形成されている。また、構成部２１、２３には一点鎖線で示すように対角線となる位置に内側へ折り曲げるための折り曲げ線２１ｃ、２３ｃが形成されている。
符号２５は平板状の表示部を示し、この表示部２５には図柄、文字から成るメッセージ２５ａが記載されている。
【００１５】
符号２７はカバーを示し、このカバー２７は図１０に示す形状の平板を一点鎖線で示す部分を直角に折り曲げることで形成されている。
ケース本体３の上面開口５を覆う上面カバー部２８と、上面カバー部２８の左右両端に連なる一対の側板カバー部２９、３１を有している。側板カバー部２９、３１はケース本体３の側板７、９を覆う。一対の側板カバー部２９、３１には丸穴３３、３５が形成されている。また、丸穴３３、３５の縁の一部に連続する残量確認穴３７、３９が形成され、残量確認穴３７、３９は丸穴３３、３５の周方向（上方）へ延びている。
一対の側板カバー部２９、３１の前方側上端部には前方へ突出する突出片２９ａ、３１ａが形成されている。
【００１６】
上面カバー部２８の前端部にはカバー側突出片２８ａが形成され、このカバー側突出片２８ａは側板カバー部２９、３１に形成された突出片２９ａ、３１ａに連なっている。
また、上面カバー部２８の後端部には引き出し用切欠きとしての切欠き２８ｄが形成されている。更に、上面カバー部２８の左右両端部に側方へ突出する摘み片２８ｂ、２８ｃが設けられている。摘み片２８ｂ、２８ｃは側板カバー部２９、３１に円弧状の切欠きを形成し、この切欠きに囲まれた部分を側方へ突出させることによって構成されている。
【００１７】
符号４１は支持棒を示し、この支持棒４１は図１１に示す平板を一点鎖線で示す折り曲げ線４３ａ、４３ｂ、４３ｃを折り曲げることで形成されている。支持棒４１は折り曲げ線４３ａ、４３ｂ、４３ｃを介する４つの面４１ａ、４１ｂ、４１ｃ、４１ｄが形成され、これらの面のうち前端側の一面４１ａと後端側の一面４１ｄどうしが重なる三角筒状を為している。なお、支持棒４１は平板に戻ろうとする力が働き、４つの面４１ａ、４１ｂ、４１ｃ、４１ｄには展開方向への弾性力が生じている。
【００１８】
次にこのトイレットペーパーケース１の使用方法を説明する。
まず、トイレットペーパーロールＲの軸芯Ｓに支持棒４１を通し、支持棒４１の両端部を軸芯Ｓから突出させる。そして、支持棒４１をトイレットペーパーロールＲと共にケース本体３に収容し、更に、支持棒４１の両端部を支持棒用切欠き１１、１３の底部に支持させる。また、トイレットペーパーロールＲから引き出したトイレットペーパーＰの先端部を本体側突出片１５に載せると共に、本体側突出片１５の先端縁から垂らしておく。
【００１９】
次いで、カバー２７をケース本体３に被せて、上面カバー部２８によって上面開口５を覆い、側板カバー部２９、３１によって側板７、９を覆う。一対の支持棒用切欠き１１、１３の一部と丸穴３３、３５とが重なる状態となる。そして、支持棒４１の両端部が支持棒用切欠き１１、１３、丸穴３３、３５を貫通する状態にし、丸穴３３、３５から突出させる。
トイレットペーパーＰの先端部は本体側突出片１５と上面カバー部２８のカバー側突出片２８ａとに挟持される状態となる。
また、表示部２５を切欠き２８ｄからケース本体３へ差し込んで、その上端部を切欠き２８ｄから突出させた状態とする。
【００２０】
幼児がトイレトレーニングを行う際には、トイレットペーパーケース１を幼児の近傍において置く。そして、幼児に本体側突出片１５と上面カバー部２８のカバー側突出片２８ａの先端部から突出しているトイレットペーパーＰを持って引き出させる。そして、トイレットペーパーＰをミシン目に沿って切断させて使用する。
上記のようにトイレットペーパーＰの先端部は本体側突出片１５と上面カバー部２８のカバー側突出片２８ａとに挟持されているので、幼児のトイレットペーパーＰの扱いが悪くても、トイレットペーパーＰの先端部がケース本体３内へ入り込んでしまうのを防止することができる。
【００２１】
また、トイレットペーパーＰをトイレットペーパーケース１から引き出し過ぎてしまった場合には、支持棒４１の丸穴３３、３５から突出している部分を持ってトイレットペーパーロールＲと共に回転させることで巻き戻すことができる。すなわち、前述のように支持棒４１は平板に戻ろうとする力が働き、４つの面４１ａ、４１ｂ、４１ｃ、４１ｄには展開方向への弾性力が生じており、この弾性力によって面４１ａの先端部が軸芯Ｓの内周面に圧接し、この圧接力が支持棒４１の角部を軸芯Ｓの内周面に圧接させる力としても働く。従って、支持棒４１が軸芯Ｓに固定され、支持棒４１を回せばトイレットペーパーロールＲを回すことができる。よって、支持棒４１の丸穴３３、３５から突出している部分を持ってトイレットペーパーロールＲと共に回転させることで巻き戻すことが可能である。
【００２２】
また、幼児のトイレトレーニングの結果が良い場合には、表示部２５の切欠き２８ｄから突出している部分を摘んで、表示部２５を引き出してメッセージ２５ａを見せながら幼児を誉める。これにより、幼児にトイレトレーニングに対するやる気や興味をもたせることができる。
なお、トイレットペーパーロールＲの端面を残量確認穴３７、３９から見ることができるので、トイレットペーパーＰの残量を外部から確認することが可能である。
また、トイレットペーパーケース１では図７に示したように畳んだ状態のケース本体３を含めて、構成部材を平板状にすることができ、構成部材をコンパクトにまとめることができる。従って、トイレットペーパーロールの販促品として、複数個梱包したトイレットペーパーロールに容易に添付することが可能である。
【００２３】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、支持棒を三角筒状としたが、本考案はこれに限定されず、四角筒状等、三角筒状より角数の多い角筒状としてもよい。すなわち、折り曲げ線を介する４つ以上の面が形成され、４つ以上の面のうち前端側の一面と後端側の一面どうしが重なる多角筒状であればよい。
【産業上の利用可能性】
【００２４】
本考案のトイレットペーパーケースは、トイレットペーパーケース製造業、製紙業において利用可能性があり、トイレットペーパーロールに添付することで販促品として用いることができる。
【符号の説明】
【００２５】
１…トイレットペーパーケース        ３…ケース本体
５…ケース本体の上面開口            ７、９…ケース本体の側板
１１、１３…支持棒用切欠き          １５…本体側突出片
１７…半円形の切欠き                １８…支持片
１９…底部          ２１、２３…底部の構成部    ２１ａ、２３ａ…係合片
２１ｂ、２３ｂ…係合切欠き          ２１ｃ、２３ｃ…折り曲げ線
２５…表示部        ２５ａ…メッセージ          ２７…カバー
２８…上面カバー部  ２８ａ…カバー側突出片      ２８ｂ、２８ｃ…摘み片
２８ｄ…切欠き      ２９、３１…側板カバー部    ３３、３５…丸穴
３７、３９…残量確認穴              ４１…支持棒
４１ａ、４１ｂ、４１ｃ、４１ｄ…支持棒の面
４３ａ、４３ｂ、４３ｃ…折り曲げ線
Ｒ…トイレットペーパーロール        Ｓ…軸芯    Ｐ…トイレットペーパー
【図１】
0003204574.tif 000003
【図２】
0003204574.tif 000004
【図３】
0003204574.tif 000005
【図４】
0003204574.tif 000006
【図５】
0003204574.tif 000007
【図６】
0003204574.tif 000008
【図７】
0003204574.tif 000009
【図８】
0003204574.tif 000010
【図９】
0003204574.tif 000011
【図１０】
0003204574.tif 000012
【図１１】
0003204574.tif 000013
【図１２】
0003204574.tif 000014
【図１３】
0003204574.tif 000015